(57)【要約】【課題】撮像素子の品質ランクに応じて、より好ましい合成画像データを得ることが可能なデジタルカメラを提供する。【解決手段】高感度画像データＨｉｇｈは、ＯＢ処理部６１ａ、ＬＭＴＸ６２ａ、ＷＢ処理部６３ａ、ガンマ補正部６４ａによる処理を経て乗算部６６ａに入力される。また、同様に低感度画像データＬｏｗは、ＯＢ処理部６１ｂ、ＬＭＴＸ６２ｂ、ＷＢ処理部６３ｂ、ガンマ補正部６４ｂによる処理を経て、乗算部６６ｂに入力される。そして、それぞれ合成ゲインＬＵＴ６５からのゲインデータと乗算され、乗算結果は加算部６７で加算される。合成レンジ演算部７１は、撮像素子の品質ランクを示すランク情報と撮影感度情報に基づいて画像合成を行う場合の合成すべき輝度レンジを求める。求めた輝度レンジ情報は、合成ゲインＬＵＴ６５に送られ、高感度画像データと低感度画像データとを加算合成する際のそれぞれのゲインデータの選択に利用される。【選択図】図１
2004222161.tif 000002
【特許請求の範囲】
【請求項１】
相対的に高感度の第１の画像データと相対的に低感度の第２の画像データとの合成処理を行って合成画像データを得る機能を有するデジタルカメラであって、
前記第１の画像データと前記第２の画像データは、感度の異なる光電変換部を有する撮像素子による撮像信号に基づいて取得されるものであり、
前記合成処理は、被写体の合成すべき輝度レンジに応じて決定される合成パラメータに基づいて行われるものであり、
前記輝度レンジは、前記撮像素子の品質ランク情報と撮影感度情報に基づいて制限されるものであるデジタルカメラ。
【請求項２】
請求項１記載のデジタルカメラであって、
前記輝度レンジの制限値は、撮影時の絞り情報とズームポジションによって変更されるものであるデジタルカメラ。
【請求項３】
請求項２記載のデジタルカメラであって、
前記輝度レンジの制限値は、撮影時の照明によって変更されるものであるデジタルカメラ。
【発明の詳細な説明】
【０００１】
【発明の属する技術分野】
本発明は、相対的に高感度の第１の画像データと相対的に低感度の第２の画像データとの合成処理を行って合成画像データを得る機能を有するデジタルカメラに関する。
【０００２】
【従来の技術】
ＣＣＤ撮像素子等の固体撮像素子のダイナミックレンジは、一般に狭く、ハイコントラストの被写体を撮影する場合は、固体撮像素子の受光量がダイナミックレンジを超えて固体撮像素子の出力が飽和してしまい、被写体の情報が欠落する場合がある。
【０００３】
このような問題を解決するため、相対的に高感度の第１の画像データ（以下、単に「高感度画像データ」と記述する場合もある。）と相対的に低感度の第２の画像データ（以下、単に「低感度画像データ」と記述する場合もある。）との合成処理を行うことにより、ダイナミックレンジの拡大を図る技術が提案されている（特許文献１、２参照）
【０００４】
特許文献１に記載された技術は、異なる露光条件、異なるゲイン制御の少なくとも何れか１つによって、標準的な明るさの被写体が適正レベルとなるようにして得た標準輝度映像信号（高感度画像データ）と、所定値より明るい被写体が適正レベルとなるようにして得た高輝度映像信号（低感度画像データ）を加算して、広ダイナミックレンジ映像信号を得るものである。そして、その際、高輝度映像信号のピーク値を検出し、このピーク値に基づき、標準輝度映像信号と高輝度映像信号にそれぞれ乗算する乗算係数を算出し、それぞれに乗算した後、加算するものである。
【０００５】
特許文献２に記載された技術は、被写界を撮像して該被写界を表わす高感度の映像信号及び低感度の映像信号を生成する撮像手段と、高感度の映像信号を第１の量子化分解能で量子化して、対応する高感度の映像信号データを出力する第１の信号変換手段と、低感度の映像信号を第１の量子化分解能より低い第２の量子化分解能で量子化して、対応する低感度の映像信号データを出力する第２の信号変換手段とを含み、高感度の映像信号データ及び対応する低感度の映像信号データを加算合成して、広いダイナミックレンジの映像信号を形成するものである。
【０００６】
しかし、高感度画像データと低感度画像データを、感度の異なる光電変換部を有する撮像素子による撮像信号に基づいて取得する場合、撮像素子の特性のばらつきによる影響が避けられない。特に、低感度画像信号に対する影響が大きく、品質ランクの低い撮像素子からの低感度画像信号は、低ゲインでの利用時には、撮像精度が低下するという問題がある。そのため、このような撮像素子から得られた低感度画像データを利用して画像合成を行うと、合成画像のハイライト側に色付きが生じる等の減少が起こる。
【０００７】
【特許文献１】
特開２００１−９４８７０号公報
【特許文献２】
特開２００１−８１０４号公報
【０００８】
【発明が解決しようとする課題】
本発明は、上記事情に鑑みなされたもので、撮像素子の品質ランクに応じて、より好ましい合成画像データを得ることが可能なデジタルカメラを提供することを目的とするものである。
【０００９】
【課題を解決するための手段】
本発明のデジタルカメラは、相対的に高感度の第１の画像データと相対的に低感度の第２の画像データとの合成処理を行って合成画像データを得る機能を有するデジタルカメラであって、前記第１の画像データと前記第２の画像データは、感度の異なる光電変換部を有する撮像素子による撮像信号に基づいて取得されるものであり、前記合成処理は、被写体の合成すべき輝度レンジに応じて決定される合成パラメータに基づいて行われるものであり、前記輝度レンジは、前記撮像素子の品質ランク情報と撮影感度情報に基づいて制限されるものである。この発明によれば、品質ランクが低い撮像素子を利用する場合は、低感度画像データを充分な大きなゲインで合成することができ、好ましい合成画像データを得ることができる。
【００１０】
本発明のデジタルカメラは、前記輝度レンジの制限値が、撮影時の絞り情報とズームポジションによって変更されるものであるデジタルカメラを含む。この発明によれば、光電変換部から得られる撮像信号が小さい場合には、低感度画像データの合成ゲインを大きくすることができ、好ましい合成画像データを得ることができる。
【００１１】
また、本発明のデジタルカメラは、前記輝度レンジの制限値が、撮影時の照明によって変更されるものであるデジタルカメラを含む。この発明によれば、撮影照明にかかわらず、低感度画像データの合成ゲインを大きくすることができ、好ましい合成画像データを得ることができる。
【００１２】
【発明の実施の形態】
以下、本発明の実施の形態について、図面を用いて説明する。図９は、本発明の実施の形態のデジタルカメラの概略構成を示す図である。図９のデジタルカメラは、撮像部１、アナログ信号処理部２、Ａ／Ｄ変換部３、駆動部４、ストロボ５、デジタル信号処理部６、圧縮／伸張処理部７、表示部８、システム制御部９、内部メモリ１０、メディアインタフェース１１、記録メディア１２、操作部１３を含んで構成される。デジタル信号処理部６、圧縮／伸張処理部７、表示部８、システム制御部９、内部メモリ１０、及びメディアインタフェース１１は、システムバス２０に接続されている。
【００１３】
撮像部１は、撮影レンズ等の光学系及びＣＣＤイメージセンサ等の撮像素子を含み、被写体の撮影を行うものであって、アナログの撮像信号を出力する。撮像部１で得られた撮像信号は、アナログ信号処理部２に送られ、所定のアナログ信号処理が施され、Ａ／Ｄ変換部３でデジタル信号に変換された後、いわゆるＲＡＷ画像データとしてデジタル信号処理部６に送られる。ＲＡＷ画像データは、撮像部１からの撮像信号の形式のままデジタル化したデジタル画像データである。
【００１４】
撮影に際しては、駆動部４を介して撮像部１が制御される。撮像素子として利用されるＣＣＤイメージセンサ等の固体撮像素子は、半導体基板表面に行方向とこれに直交する列方向に配設された複数の光電変換領域（例えばフォトダイオード）を有し、入射光に対応して発生し、蓄積された信号電荷に基づいたアナログ電圧信号を出力するものである。固体撮像素子は、操作部１３の一部であるレリーズボタン（図示せず）の操作によるレリーズスイッチ（図示せず）オンを契機として、所定のタイミングで、駆動部４に含まれるタイミングジェネレータ（図９ではＴＧと記載）からの駆動信号によって駆動される。駆動部４は、システム制御部９の制御に基づいて所定の駆動信号を出力するものであり、アナログ信号処理部２及びＡ／Ｄ変換部３に対する駆動信号も出力する。
【００１５】
撮像部１は、相対的に高感度の撮像信号と相対的に低感度の撮像信号を出力するものであり、撮像信号は、共にアナログ信号処理部２、Ａ／Ｄ変換部３を経てデジタル画像データに変換され、デジタル信号処理部６に送られる。撮像部１に含まれる撮像素子は、感度の異なる光電変換部を有するものである。感度の異なる光電変換部を有する撮像素子としては、特許文献２に示すように高感度撮像セルと低感度撮像セルを有する固体撮像素子を利用してもよいし、図１０に示すような固体撮像素子を用いてもよい。
【００１６】
図１０は、高感度撮像信号と低感度撮像信号を出力可能な固体撮像素子の概略構成を示す図である。図１０は、いわゆるハニカム構造の固体撮像素子の部分拡大平面図であって、半導体基板表面に行方向（矢印Ｘで示す方向）とこれに直交する列方向（矢印Ｙで示す方向）に配設された複数の光電変換領域１１１〜１５７（図では一部のみに番号を付してある）、垂直転送部２０１〜２０８、水平転送部３００、及び出力部４００を含む。複数の光電変換領域１１１〜１５７の内の奇数列のものは、偶数列のものに対して光電変換領域同士の列方向ピッチの略１／２だけ列方向にずれており、また、奇数行の光電変換領域は、偶数行の光電変換領域対して光電変換領域同士の行方向ピッチの略１／２だけ行方向にずれて配置される。なお、図１０では、５行８列の光電変換領域を示してあるが、実際には、さらに多くの光電変換領域が設けられる。
【００１７】
光電変換領域１１１〜１５７は、入射光量に対応した信号電荷を発生し、蓄積するもので、例えばフォトダイオードである。光電変換領域１１１〜１５７は、相対的に広い受光面積を有する主領域ｍと相対的に狭い受光面積を有する副領域ｓに分割され（図１０では、光電変換領域１５１のみについて符号を付してある。）、それぞれ所定の分光感度の光に対応する信号電荷を発生し、蓄積する。図１０の固体撮像素子においては、赤（Ｒで示す。）、緑（Ｇで示す。）、又は青（Ｂで示す。）のフィルタ（図示せず）が、それぞれの光電変換領域１１１〜１５７の上方に設けられ、それぞれの色の光に対応する信号電荷を発生し、蓄積する。
【００１８】
垂直転送部２０１〜２０８は、光電変換領域１１１〜１５７からの信号電荷を読み出し、列方向に転送するものであり、光電変換領域１１１〜１５７の各列に対応してその側方に設けられる。列方向の転送は、主領域ｍの信号電荷と副領域ｓの信号電荷を、それぞれ独立に垂直転送部２０１〜２０８に読み出して行う。水平転送部３００は、複数の垂直転送部２０１〜２０８からの信号電荷が転送され、転送された信号電荷を行方向に転送するものである。出力部４００は、転送された信号電荷量に応じた電圧信号を出力するものである。
【００１９】
ストロボ５は、被写体の輝度が所定値以下の場合等に動作するものであり、システム制御部９によって制御される。
【００２０】
デジタル信号処理部６では、Ａ／Ｄ変換部３からのデジタル画像データに対して、操作部１３によって設定された動作モードに応じたデジタル信号処理を行うものである。デジタル信号処理部６が行う処理には、黒レベル補正処理（ＯＢ処理）、リニアマトリクス補正処理（撮像部からの原色信号に対して、撮像素子の光電変換特性に起因する混食成分を除去する補正を行う処理。ＲＢＧ入力に対する３×３のマトリクス演算による。）、ホワイトバランス調整処理（ゲイン調整）、ガンマ補正処理、画像合成処理、同時化処理、Ｙ／Ｃ変換処理等が含まれる。デジタル信号処理部６の画像合成処理については、後述する。
【００２１】
デジタル信号処理部６は、例えばＤＳＰで構成される。圧縮／伸張処理部７は、デジタル信号処理部６で得られたＹ／Ｃデータに対して圧縮処理を施すと共に、記録メディア１２から得られた圧縮画像データに対して伸張処理を施すものである。
【００２２】
表示部８は、例えばＬＣＤ表示装置を含んで構成され、撮影され、デジタル信号処理を経た画像データに基づく画像を表示する。記録メディアに記録された圧縮画像データを伸張処理して得た画像データに基づく画像の表示も行う。また、撮影時のスルー画像、デジタルカメラの各種状態、操作に関する情報の表示等も可能である。
【００２３】
内部メモリ１０は、例えばＤＲＡＭであり、デジタル信号処理部６、システム処理部９のワークメモリとして利用される他、記録メディアに１２に記録される撮影画像データを一時的に記憶するバッファメモリ、表示部８への表示画像データのバッファメモリとしても利用される。メディアインタフェース１１は、メモリカード等の記録メディア１２との間のデータの入出力を行うものである。
【００２４】
システム制御部９は、撮影動作を含むデジタルカメラ全体の制御を行う。システム制御部９は、具体的には所定のプログラムによって動作するプロセッサを主体に構成される。
【００２５】
操作部１３は、デジタルカメラ使用時の各種操作を行うもので、デジタルカメラの動作モード（撮影モード、再生モード等）、撮影時の撮影方法、撮影条件、設定等を行う。操作部１３によって設定される撮影条件には、撮影感度（ＩＳＯ感度）の設定、電子ズームの動作設定、ストロボの動作設定が含まれる。操作部１３は、それぞれの機能に対応する操作部材を設けてもよいが、表示部８の表示と連動して操作部材を共用してもよい。また、操作部１３には、撮影動作を起動するためのレリーズボタンも含まれる。
【００２６】
次に、デジタル信号処理部６の機能を、画像合成処理を中心に説明する。図１は、デジタル信号処理部６の概略機能ブロック図である。デジタル信号処理部６は、ＯＢ（オプティカルブラック）処理部６１ａ、６１ｂ、ＬＭＴＸ（リニアマトリクス）６２ａ、６２ｂ、ＷＢ（ホワイトバランス）処理部６３ａ、６３ｂ、ガンマ補正部６４ａ、６４ｂ、合成ゲインＬＵＴ（ルックアップテーブル）６５、乗算部６６ａ、６６ｂ、加算部６７、リミッタ６８、同時化及びＹ／Ｃ処理部６９、ＣＭＴＸ（色差マトリクス）７０、合成レンジ演算部７１を含む。
【００２７】
ＯＢ処理部６１ａ、６１ｂは、画像データの黒レベルを補正するものであり、ＬＭＴＸ６２ａ、６２ｂは、例えば３×３のマトリクス演算を行うことにより、色相を調整するものである。ＷＢ処理部６３ａ、６３ｂは、ホワイトバランス補正用のゲインをそれぞれの色を示す画像データに乗算するものであり、ガンマ補正部６４ａ、６４ｂは、それぞれの画像データが所望のガンマ特性になるように入出力特性を変更するものである。
【００２８】
合成ゲインＬＵＴ６５は、高感度画像データと低感度画像データとを加算合成する際のそれぞれのゲインデータを高感度画像データに応じて出力するものである。出力するゲインデータは、合成レンジ演算部７１からの合成すべき輝度レンジ情報によって選択される。合成ゲインの求め方については、後述する。
【００２９】
デジタル処理部６に入力される高感度画像データＨｉｇｈは、ＯＢ処理部６１ａ、ＬＭＴＸ６２ａ、ＷＢ処理部６３ａ、ガンマ補正部６４ａによる処理を経て乗算部６６ａに入力される。また、同様に低感度画像データＬｏｗは、ＯＢ処理部６１ｂ、ＬＭＴＸ６２ｂ、ＷＢ処理部６３ｂ、ガンマ補正部６４ｂによる処理を経て、乗算部６６ｂに入力される。そして、それぞれ合成ゲインＬＵＴ６５からのゲインデータと乗算され、乗算結果は加算部６７で加算される。
【００３０】
加算部６７からの画像データは、リミッタ６８で予め定めたビット数（例えば８ビット）で表現できる範囲に収まるように制限され、同時化及びＹ／Ｃ処理部６９に入力される。同時化及びＹ／Ｃ処理部６９は、点順次のＲＧＢ信号を補間し、各撮像位置毎にＲＧＢ信号を求め、さらにＲＧＢ信号から輝度信号Ｙと色差信号Ｃｒ，Ｃｂに変換する。そして、ＣＭＴＸ７０によって彩度補正を行い、合成画像データとして出力する。
【００３１】
合成レンジ演算部７１は、画像合成を行う場合の合成すべき輝度レンジを求めるものである。求めた輝度レンジ情報は、合成ゲインＬＵＴ６５に送られ、高感度画像データと低感度画像データとを加算合成する際のそれぞれのゲインデータの選択に利用される。合成レンジ演算部７１には、撮像素子の品質ランクを示すランク情報、撮影感度（ＩＳＯ感度）情報、絞り情報、ズームポジション情報、ホワイトバランス（ＷＢ）ゲインが入力され、少なくとも、撮像素子の品質ランクを示すランク情報と撮影感度情報に基づいて決定される。具体的には、撮影シーンに応じて決定される輝度レンジを、所定の条件で制限して出力する。輝度レンジの求め方については、後述する。
【００３２】
図２に、撮影時の合成演算処理までのデジタル信号処理の概略シーケンスを示す。期間ｔ１において露光がされた後、期間ｔ２で高感度画像データの取り込みが行われる。期間ｔ３では、低感度画像データの取り込みと同時に高感度画像データに対する信号処理が行われる。ここでは、ホワイトバランスゲイン決定処理（ＡＷＢ）、キズ補正処理（キズ）、及び前処理が行われる。前処理には、ＯＢ処理、ＬＭＴＸ演算、ＷＢ処理、ガンマ補正処理が含まれる。
【００３３】
低感度画像データの取り込みが終了すると、期間ｔ４で合成すべき輝度レンジの演算処理が行われる。合成レンジが決定すると、期間ｔ５で低感度画像データの前処理（ＷＢ処理、ガンマ補正処理が含まれる）が行われる。そして、期間ｔ６で、ガンマ補正後の高感度画像データ及び低感度画像データの合成演算が行われる。
【００３４】
次いで、合成ゲインＬＵＴ６５に記憶されるゲインデータについて説明する。ゲインデータは、合成データｄａｔａを求める式（１）に基づいて作成される。
【００３５】
ｄａｔａ＝［ｈｉｇｈ＋ＭＩＮ（ｈｉｇｈ／ｔｈ，１）×ｌｏｗ］×ＭＡＸ［（−ｌｇ×ｈｉｇｈ／ｔｈ）＋１，ｐ］        （１）
ここで、
ｈｉｇｈは、ガンマ補正後の高感度画像データ
ｌｏｗは、ガンマ補正後の低感度画像データ
ｔｈは、低感度画像データの加算比率を変更する閾値
ｐは、トータルゲイン
ｌｇは、高感度画像データと低感度画像データの飽和出力の比に依存する値（例えば、飽和比が４：１とするとｐ＝０．２）である。
【００３６】
式（１）を展開し、
ｈ＿ｇａｉｎ＝ＭＡＸ［（−ｌｇ×ｈｉｇｈ／ｔｈ）＋１，ｐ］                                                            （２）
ｌ＿ｇａｉｎ＝ＭＡＸ［（−ｌｇ×ｈｉｇｈ／ｔｈ）＋１，ｐ］×ＭＩＮ（ｈｉｇｈ／ｔｈ，１）＝ｈ＿ｇａｉｎ×ｗｌ  （３）
とすると、
ｄａｔａ＝ｈ＿ｇａｉｎ×ｈｉｇｈ＋ｌ＿ｇａｉｎ×ｌｏｗ
となる。
【００３７】
ｈ＿ｇａｉｎは、高感度画像データ用のゲインであり、図３に示す特性を有する。また、ｌ＿ｇａｉｎは、低感度画像データ用のゲインであって、ｈ＿ｇａｉｎ×ｗｌであり、ｗｌは、図４に示す特性を有する。
【００３８】
合成ゲインＬＵＴ６５には、上記式（２）及び（３）によって求められる高感度画像データ用のゲインｈ＿ｇａｉｎ、及び低感度画像データ用のゲインｌ＿ｇａｉｎが、高感度画像データｈｉｇｈに対応するテーブル形式のデータとして記憶される。この記憶されるゲインデータは、合成レンジ演算部７１から出力される合成すべき輝度レンジに応じて適宜の数だけ記憶される。
【００３９】
続いて、合成レンジ演算部７１による合成レンジの求め方について説明する。
今、図５に示すように、高感度画像データがとり得る最大値が４０９５、低感度画像データがとり得る最大値が１０２３、低感度画像データの輝度レンジが高感度画像データの輝度レンジに対して４００％であるとすると、合成処理が可能な輝度レンジは、高感度画像データの最大輝度レンジとの比で表すと４００％である。
【００４０】
この輝度レンジは、撮影シーンに応じて補正が可能である。例えば，被写体の撮影輝度の最大値、ストロボの使用の有無、逆光、過順光の有無等に応じて、所定の基準で変更される。図６に、合成画像データの合成すべき輝度レンジに応じた階調特性の一例を示す。図６に示すように、レンジ（１）からレンジ（６）へ輝度レンジが大きくなるにつれて、合成画像データの再現範囲を広くなっている。
【００４１】
次に、撮像素子の品質ランク、撮影感度、絞り情報、及びズームポジションによって、合成すべき輝度レンジを決定する方法について、説明する。なお、ここで利用する固体撮像素子の品質ランク情報は、図示しない不揮発性メモリに予め記憶させておく。また、撮影感度情報、絞り情報、ズームポジション情報は、操作部１３の操作に基づき、システム制御部９を介して取得する。ＷＢゲインは、撮像部１からの撮像信号に基づいて求めたもの、あるいは操作部１３の設定に基づくものを利用する。図７に、輝度レンジを変更する処理の概略フローを示す。
【００４２】
ステップ７０１では、撮像素子のランク情報に基づき、デジタルカメラに使用されている撮像素子の品質ランクが所定のランクより低いかどうかを判断する。所定のランクより低い場合は、設定された撮影感度が低い（例えばＩＳＯ２００以下）かどうかを判断し（ステップ７０２）、撮影感度が低い場合は、撮影照明の種類に応じた輝度レンジの変更処理を行う。
【００４３】
輝度レンジは、撮影照明がタングステン電球の場合とそれ以外の場合で異なる変更処理を行う。タングステン電球による照明かどうか判断（ステップ７０３で）は、赤のホワイトバランスゲインによって行い、赤のホワイトバランスゲインが所定値より小の場合にタングステン電球による照明と判断する。
【００４４】
タングステン電球による照明と判断された場合は、ステップ７０４でタングステン電球による照明時の輝度レンジを選択し、そうでない場合は、ステップ７０５でそれ以外の照明時の輝度レンジを選択する。ここで選択する輝度レンジは、撮影時の絞り情報とズームポジションに応じた値としてもよい。その場合の選択基準の一例を図８に示す。図８（ａ）は、タングステン照明時のものであり、図８（ｂ）は、それ以外の照明時のものである。図８において、ＡＶＴＮＧ１、ＡＶ１は、適宜定めた絞り値、ＦＬＴＮＧ１、ＦＬＴＮＧ２、ＦＬ１、ＦＬ２は、適宜定めたズームポジションである。
【００４５】
ステップ７０４、又はステップ７０５で選択された輝度レンジが、システムで利用可能な上限輝度レンジより小かどうかを判断する（ステップ７０６）。そして上限輝度レンジより小の場合は、選択された輝度レンジを出力し、小でない場合は、上限輝度レンジを出力する。上限輝度レンジは、撮影シーンに応じて補正されたものでもよい。
【００４６】
ステップ７０１で撮像素子の品質ランクが所定のランクより低くないと判断された場合、及びステップ７０２で撮影感度が所定感度以下でないと判断された場合は、輝度レンジの変更を行わない。その場合、予め定めた輝度レンジあるいは撮影シーンに応じて補正された輝度レンジを出力する。
【００４７】
このように、撮像素子の品質ランク、撮影感度、撮影時の照明、絞り及びスームポジションに応じて、合成すべき輝度レンジを制限することにより、低感度画像データのゲインを充分大きなものとすることができ、好ましい合成画像データを得ることができる。なお、撮影時の照明、絞り及びスームポジションに応じた輝度レンジの制限は、任意であり、撮像素子の品質ランク及び撮影感度に応じて、合成すべき輝度レンジを変更するだけでもよい。
【００４８】
【発明の効果】
以上の説明から明らかなように、本発明によれば、撮像素子の品質ランクに応じて、より好ましい合成画像データを得ることが可能なデジタルカメラを提供することができる。
【図面の簡単な説明】
【図１】デジタル信号処理部の概略機能ブロック図
【図２】撮影時の合成演算処理までのデジタル信号処理の概略シーケンスを示す図
【図３】高感度画像データ用のゲインの特性を示す図
【図４】低感度画像データ用のゲインと高感度画像データ用ゲインの比ｗｌの特性を示す図
【図５】高感度画像データと低感度画像データの関係の一例を示す図
【図６】合成レンジに応じて合成画像データの階調特性が変化する様子を示す図
【図７】輝度レンジを変更する処理の概略フローを示す図
【図８】撮影時の絞り情報とズームポジションに応じた輝度レンジの選択基準の一例を示す図
【図９】本発明の実施の形態のデジタルカメラの概略構成を示す図
【図１０】高感度撮像信号と低感度撮像信号を出力可能な固体撮像素子の概略構成を示す図
【符号の説明】
１・・・撮像部
２・・・アナログ信号処理部
３・・・Ａ／Ｄ変換部
４・・・駆動部
５・・・ストロボ
６・・・デジタル信号処理部
７・・・圧縮／伸張処理部
８・・・表示部
９・・・システム制御部
１０・・・内部メモリ
１１・・・メディアインタフェース
１２・・・記録メディア
１３・・・操作部
２０・・・システムバス
６１ａ、６１ｂ・・・ＯＢ（オプティカルブラック）処理部
６２ａ、６２ｂ・・・ＬＭＴＸ（リニアマトリクス）
６３ａ、６３ｂ・・・ＷＢ（ホワイトバランス）処理部
６４ａ、６４ｂ・・・ガンマ補正部
６５・・・合成ゲインＬＵＴ（ルックアップテーブル）
６６ａ、６６ｂ・・・乗算部
６７・・・加算部
６８・・・リミッタ
６９・・・同時化及びＹ／Ｃ処理部
７０・・・ＣＭＴＸ（色差マトリクス）
７１・・・合成レンジ演算部
【図１】
2004222161.tif 000003
【図２】
2004222161.tif 000004
【図３】
2004222161.tif 000005
【図４】
2004222161.tif 000006
【図５】
2004222161.tif 000007
【図６】
2004222161.tif 000008
【図７】
2004222161.tif 000009
【図８】
2004222161.tif 000010
【図９】
2004222161.tif 000011
【図１０】
2004222161.tif 000012